(57)【要約】【課題】複雑な色外観を呈すると共にリアリティのある立体的な意匠外観を呈することができる建築板を提供すること。【解決手段】建築板１は，木目調を呈するための多数の木目形成凸部２１，２２を形成してなる木目凹凸模様２０３を有する原板の意匠表面２０１に，下側塗料層３及び上側塗料層４を順次設けてなる。建築板１は，意匠表面２０１の一部に，下側塗料層３が露出した露出表面１０１を有しており，その他の部分に，下側塗料層３の表面を上側塗料層４が覆った被覆表面１０２を有している。各木目形成凸部２１，２２は，木目調の形成方向に直交する横方向断面において，それぞれ木目調の中心側Ａに位置する内側壁面２１１，２２１が，他方側Ｂに位置する外側壁面２１２，２２２よりも緩やかな緩傾斜状に形成されている。【選択図】  図１
2004263481.tif 000002
【特許請求の範囲】
【請求項１】
木目調を呈するための複数の木目形成凸部を形成してなる木目凹凸模様を有する原板の意匠表面に，下側塗料層及び上側塗料層を順次設けてなると共に，上記意匠表面の一部に上記下側塗料層が露出した露出表面を有してなる建築板において，
各木目形成凸部は，上記木目調の形成方向に直交する横方向断面において，それぞれ上記木目調の中心側に位置する内側壁面が，他方側に位置する外側壁面よりも緩やかな緩傾斜状に形成されていることを特徴とする建築板。
【請求項２】
請求項１において，上記露出表面は，上記木目形成凸部における上記内側壁面と上記外側壁面との間の頂点部に形成されていることを特徴とする建築板。
【請求項３】
請求項１又は２において，上記露出表面は，上記内側壁面に形成されていることを特徴とする建築板。
【請求項４】
請求項１〜３のいずれか一項において，上記露出表面は，上記下側塗料層の表面に上記上側塗料層を形成するための塗料を塗布した後，該塗料が乾燥する前に，該塗料を掻取り具により掻き取ることにより形成したものであることを特徴とする建築板。
【発明の詳細な説明】
【０００１】
【技術分野】
本発明は，建築物の外壁として施工する建築板であって，特に凹凸模様を形成した意匠表面に塗装を行って形成した建築板に関する。
【０００２】
【従来技術】
例えば，建築物の外壁として施工するために量産される建築板においては，単調な仕上り感を避けるために，建築板の意匠表面の凹凸模様，この意匠表面の塗装の仕方等の工夫がなされている。そして，例えば，特許文献１に示すように，上記意匠表面が，自然な外観や，立体的な外観を呈するように努力がなされている。また，特許文献１においては，建築板の意匠表面に凹凸の木目模様を形成し，上記意匠表面の全体に下側塗料層及び上側塗料層を形成した後，上記木目模様の凸部における上側塗料層を掻取り具によって掻き取って，木目模様における凸部と凹部との色彩を異ならせることにより，意匠表面が立体的な外観を呈する建築板を形成している。
【０００３】
【特許文献１】
特開平１０−３１７６３１号公報
【０００４】
【解決しようとする課題】
しかしながら，上記特許文献１の建築板における立体的な外観は，上記木目模様における凸部の突出に対応して形成されたものである。すなわち，上記立体的な外観は，あくまでも上記凸部が上記凹部よりも高く突出することにより形成されたものであり，よりリアリティのある立体的な外観を呈するためには，一層の工夫が必要とされる。
【０００５】
本発明は，かかる従来の問題点に鑑みてなされたもので，複雑な色外観を呈すると共にリアリティのある立体的な意匠外観を呈することができる建築板を提供しようとするものである。
【０００６】
【課題の解決手段】
第１の発明は，木目調を呈するための複数の木目形成凸部を形成してなる木目凹凸模様を有する原板の意匠表面に，下側塗料層及び上側塗料層を順次設けてなると共に，上記意匠表面の一部に上記下側塗料層が露出した露出表面を有してなる建築板において，
各木目形成凸部は，上記木目調の形成方向に直交する横方向断面において，それぞれ上記木目調の中心側に位置する内側壁面が，他方側に位置する外側壁面よりも緩やかな緩傾斜状に形成されていることを特徴とする建築板にある（請求項１）。
【０００７】
上記木目調とは，樹木を挽いた断面において，この樹木の内部に形成された年輪により呈する外観とほぼ同様の外観もしくはこれに近似した外観のことをいう。また，上記木目調の中心側とは，この木目調で表現しようとする樹木の中心，すなわち樹木の髄のある側をいう。よって，上記木目調の中心側は，必ずしも上記意匠表面の中心側に位置するものではなく，場合によっては意匠表面の端部に位置することもある。
また，上記木目調の形成方向とは，この木目調が表現しようとする樹木の長手方向（樹木が伸びる方向）のことをいう。
【０００８】
本発明の建築板は，上記木目形成凸部により，木材の外観に近似した凹凸外観を形成し，各木目形成凸部の両側の側壁面の傾斜角度に差をつけて，リアリティのある立体的な意匠外観を呈するように形成したものである。
すなわち，本発明の建築板においては，各木目形成凸部における内側壁面を外側壁面よりも緩やかな緩傾斜状に形成している。
【０００９】
そして，各木目形成凸部における内側壁面は，上記木目調の中心側を向く明確な方向性を有して形成されており，上記緩傾斜状の内側壁面には光が照射され易く，外側壁面には光が照射され難い状態を形成することができる。そのため，上記木目調の中心側を向く内側壁面は明るい外観を呈し，この中心側とは反対側の他方側を向く外側壁面は暗い外観を呈することができる。
そのため，上記建築板の意匠表面の各木目形成凸部に意図的に陰影効果を発揮させることができ，上記建築板は，リアリティのある立体的な意匠外観を呈することができる。
【００１０】
また，上記建築板の意匠表面の一部には上記露出表面が形成されており，上記意匠表面には，上記下側塗料層による色外観と上記上側塗料層による色外観とが混在する。そのため，上記建築板は，複雑な色外観を呈することもできる。
それ故，本発明の建築板は，複雑な色外観を呈すると共にリアリティのある立体的な意匠外観を呈することができる。
【００１１】
【発明の実施の形態】
上述した本発明における好ましい実施の形態につき説明する。
上記第１，第２の発明において，上記建築板としては，例えば量産を行う無機質建築板がある。また，無機質建築板としては，例えば窯業系建築板がある。
また，上記下側塗料層としては，例えば，上記原板の表面に塗布するシーラー層，又はこのシーラー層の表面に塗布する下塗り層がある。
また，上記上側塗料層としては，例えば，上記シーラー層の表面に塗布する塗料層，又は上記下塗り層の表面に塗布する中塗り層がある。
【００１２】
また，上記上側塗料層の色彩又は色調は，上記下側塗料層の色彩又は色調よりも濃くすることができる。そして，上側塗料層は，下側塗料層よりも濃い色外観を呈することができる。また，下側塗料層の色彩又は色調は淡色にし，上側塗料層の色彩又は色調は濃色にすることができる。この場合には，上記露出表面の形成による色外観の違いを一層際立たせることができる。
【００１３】
本発明において，上記露出表面は，上記木目形成凸部における上記内側壁面と上記外側壁面との間の頂点部に形成されていることが好ましい（請求項２）。
この場合には，上記内側壁面及び外側壁面の傾斜角度の違いによる陰影効果と，上記頂点部における露出表面による色外観とにより，上記建築板は，一層リアリティのある立体的な意匠外観を呈することができる。
【００１４】
また，上記露出表面は，上記複数の木目形成凸部のうちの一部の木目形成凸部の頂点部に形成されていることができる。また，上記露出表面は，上記木目形成凸部同士の間における凹部の一部に形成されていることもできる。一方で，上記露出表面が形成された頂点部等以外の意匠表面の部分には，上記下側塗料層の表面を上側塗料層が覆った被覆表面が形成されている。
【００１５】
また，上記露出表面は，上記内側壁面に形成されていることが好ましい（請求項３）。
この場合には，特に上記下側塗料層の色彩又は色調を淡色にし，上記上側塗料層の色彩又は色調を濃色にしたときには，上記露出表面が形成された内側壁面は一層明るい外観を呈し，一方で，上記下側塗料層の表面を上側塗料層が覆った被覆表面が形成された外側壁面は一層暗い外観を呈することができる。そのため，上記各木目形成凸部に，一層明確な陰影効果を発揮させることができ，上記建築板は，一層リアリティのある立体的な意匠外観を呈することができる。
また，上記露出表面は，上記複数の木目形成凸部のうちの一部の木目形成凸部の内側壁面に形成されていることができる。
【００１６】
また，上記露出表面は，上記下側塗料層の表面に上記上側塗料層を形成するための塗料を塗布した後，該塗料が乾燥する前に，該塗料を掻取り具により掻き取ることにより形成したものであることが好ましい（請求項４）。
この場合には，上記掻取り具を用いた掻取りにより，上記露出表面を容易に形成することができる。
【００１７】
【実施例】
以下に，図面を用いて本発明の建築板にかかる実施例につき説明する。
本例の建築板１は，図１に示すごとく，木目調を呈するための多数の木目形成凸部２１，２２を形成してなる木目凹凸模様２０３を有する原板の意匠表面２０１に，シーラー層としての下側塗料層３，塗料層としての上側塗料層４を順次設けてなるものである。また，建築板１は，上記意匠表面２０１の一部に，上記下側塗料層３が露出した露出表面１０１を有しており，その他の部分に，下側塗料層３の表面を上側塗料層４が覆った被覆表面１０２を有している。
そして，各木目形成凸部２１，２２は，それらが伸びる木目調の形成方向（木目調の長尺方向）Ｌ（図２参照）に直交する横方向断面において，それぞれ上記木目調の中心側Ａに位置する内側壁面２１１，２２１が，他方側Ｂに位置する外側壁面２１２，２２２よりも緩やかな緩傾斜状に形成されている。
【００１８】
以下に，これを詳説する。
図１，図２に示すごとく，本例の建築板１は，量産可能な窯業系建築板１でありながら，木材の外観に近似した凹凸外観を有するものである。また，本例の建築板１は，上記多数の木目形成凸部２１，２２により木材の外観に近似した凹凸外観を呈する建築板１を形成し，互いに傾斜角度の異なる上記内側壁面２１１，２２１と外側壁面２１２，２２２との形成により上記凹凸外観に，リアリティのある立体的な意匠外観を持たそうとするものである。
【００１９】
上記木目形成凸部２１，２２は，上記建築板１が表現しようとする木材（樹木）における年輪の晩材部を表現するものであり，各木目形成凸部２１，２２同士の間の凹部２３は，上記年輪の早材部を表現するものである。
上記早材部とは，１年間に形成される１年輪において，春から初夏にかけて樹木の成長が早い時期にできる部分をいい，上記晩材部とは，初夏以後，樹木の生長が緩やかな時期にできる部分をいう。
【００２０】
本例の木目形成凸部２１，２２は，上記年輪の外観を呈する木材（樹木）において，晩材部の硬さが早材部の硬さよりも硬いことに対応して，上記凹部２３よりも突出させて形成したものである。
また，上記内側壁面２１１，２２１は，樹木の１年輪の形成過程において，早材部から晩材部に移り変わるときの年輪の状態を表現しており，上記外側壁面２１２，２２２は，晩材部から早材部に移り変わるときの年輪の状態を表現している。
【００２１】
すなわち，上記内側壁面２１１，２２１は，早材部から晩材部に移り変わるときには，徐々に年輪の硬さが増加することに対応して形成しており，上記外側壁面２１２，２２２は，晩材部から早材部に移り変わるときには，急激に年輪の硬さが減少することに対応して形成したものである。
そして，上記内側壁面２１１，２２１及び外側壁面２１２，２２２はいずれも傾斜状に形成し，内側壁面２１１，２２１の傾斜角度を外側壁面２１２，２２２の傾斜角度よりも緩やかに形成した。
【００２２】
図１は，上記建築板１を，上記木目調の形成方向（長尺方向）Ｌに直交する横方向断面において切断して観察した断面説明図である。
同図に示すごとく，上記木目形成凸部２１，２２は，木目調における柾目部２０５を呈するための柾目凸部２１と，木目調における板目部２０６を呈するための板目凸部２２として形成されている。
また，図２に示すごとく，上記柾目凸部２１は，建築板１の一方向にほぼ平行に近い状態で長尺状に形成されている。一方で，上記板目凸部２２は，上記意匠表面２０１の面方向に広がる山状又は波状等の不規則な形状を有して形成されている。また，上記年輪の晩材部は，ほとんどが柾目凸部２１として表現されている。
【００２３】
本例においては，上記露出表面１０１は，主に上記板目凸部２２における上記内側壁面２２１，及び内側壁面２２１と外側壁面２２２との間の頂点部２２０に形成されている。また，主に上記柾目凸部２１における内側壁面２１１，外側壁面２１２及び頂点部２１０には，上記被覆表面１０２が形成されている。
【００２４】
また，図１に示すごとく，一部の上記凹部２３の内面２３１（特に上記板目凸部２２同士の間における凹部２３の底面２３１）には，この内面２３１よりもさらに陥没した多数の微細凹部２４が形成されている。そして，上記一部の凹部２３の内面２３１には，上記露出表面１０１が形成されており，この内面２３１における多数の微細凹部２４には，上記被覆表面１０２が形成されている。
【００２５】
図３は，樹木をこれが伸びる長手方向に沿って挽いたときに，その切断断面に現れる外観を示す図である。そして，本例の建築板１における木目凹凸模様２０３は，同図に示すごとく，樹木の中心（髄）Ｏからずれた位置Ｘ１で挽いたときに現れる板目部２０６と柾目部２０５とが混在する外観を表現するものである。一方で，上記木目凹凸模様２０３は，樹木の中心（髄）Ｏの位置Ｘ０又はその近傍の位置Ｘ０を通って挽いたときに現れる柾目部２０５のみの外観を表現することもできる。
【００２６】
以下に，上記建築板１を製造する方法につき説明する。
本例の建築板１の製造方法においては，以下の準備工程，下側塗料層形成工程，上側塗料層形成工程，掻取り工程及びクリアー層形成工程を行って，上記建築板１を製造する。
すなわち，図４，図５に示すごとく，上記準備工程においては，木目調を呈するための多数の木目形成凸部２１，２２を形成してなる木目凹凸模様２０３を設けた意匠表面２０１を有する原板２を準備する。
【００２７】
本例の原板２は，セメント質原料（セメント，ケイ酸原料等）に，木質原料（木繊維，木チップ等），添加剤及び水等を混合して混合原料とし，これを成形型の成形板上に散布して成形（フォーミング）したセメント系原板２である。
そして，このセメント系原板２の意匠表面２０１には，多数の木目形成凸部２１，２２が形成されている。また，このセメント系原板２の意匠表面２０１は，全体の木目形成凸部２１，２２の意匠表面突出高さＨが，ほぼ同一の高さになるよう形成した。
なお，本例の意匠表面突出高さＨとは，図４に示すごとく，上記セメント系原板２の裏面２０２から木目形成凸部２１，２２の頂点部２１０，２２０までの高さ（厚み）Ｈのことをいう。
【００２８】
また，図５に示すごとく，上記セメント系原板２の意匠表面２０１においては，それぞれ上記内側壁面２１１，２２１及び外側壁面２１２，２２２を有する上記柾目凸部２１と上記板目凸部２２とにより，木材の外観に近似した複雑でリアリティのある凹凸外観が形成されている。
【００２９】
次いで，図６に示すごとく，上記下側塗料層形成工程においては，上記セメント系原板２の意匠表面２０１に第１塗料３０を塗布し，この第１塗料３０を乾燥させる。そして，セメント系原板２の意匠表面２０１の全体，すなわち，上記各木目形成凸部２１，２２の全体及び各凹部２３の全体に，下側塗料層３を形成する。
【００３０】
次いで，上記上側塗料層形成工程においては，上記下側塗料層３の表面に第２塗料４０を塗布して，上側塗料層４を形成する。
次いで，図７に示すごとく，上記掻取り工程においては，上記セメント系原板２の意匠表面２０１に当接して第２塗料４０の一部を掻き取る掻取り具としての掻取りロール５１と，この掻取りロール５１に対向配設すると共に，上記セメント系原板２の裏面２０２に当接するバックアップロール５２とを有する掻取り装置５を用いる。
そして，セメント系原板２を，掻取りロール５１とバックアップロール５２との間の隙間に搬入させたときには，掻取りロール５１のロール表面５１０には，第２塗料４０を塗布したセメント系原板２の意匠表面２０１が当接し，バックアップロール５２のロール表面５２０には，セメント系原板２の裏面２０２が当接する。
【００３１】
そして，図８に示すごとく，上記掻取り工程においては，上記塗布した第２塗料４０が乾燥する前に，上記各木目形成凸部２１，２２に掻取りロール５１を当接させる。
このとき，同図に示すごとく，上記柾目凸部２１と板目凸部２２との意匠表面突出高さＨは，略同一になるよう形成されているため，上記掻取りロール５１のロール表面５１０は，各木目形成凸部２１，２２の頂点部２１０，２２０のいずれに対しても接触する。
【００３２】
そして，図９に示すごとく，上記木目形成凸部２１，２２の頂点部２１０，２２０及び内側壁面２１１，２２１の一部（ほとんどが上記板目凸部２２における頂点部２２０及び内側壁面２２１の一部）に塗布された第２塗料４０は，上記掻取りロール５１のロール表面５１０に付着して掻き取られる。
また，このとき，上記凹部２３の一部（ほとんどが上記板目凸部２２同士の間における凹部２３の底面２３１の一部）に塗布された第２塗料４０も掻き取られることがある。
【００３３】
そして，図１，図２に示すごとく，上記掻取りが行われた上記板目凸部２２の頂点部２２０及び内側壁面２２１，上記板目凸部２２同士の間における凹部２３の底面２３１の一部等には，上記下側塗料層３が露出した露出表面１０１が形成される。
また，上記掻取りが行われていない上記板目凸部２２の外側壁面２２２，上記柾目凸部２１，上記凹部２３及び上記微細凹部２４には，上記下側塗料層３の表面を上記第２塗料４０による上側塗料層４が覆った被覆表面１０２が形成される。特に，上記柾目凸部２１１の頂点部２１０に塗布された第２塗料４０は，上記掻取りロール５１に接触しながらもこの掻取りロール５１によって掻き取られずに，柾目凸部２１１の頂点部２１０に残存することが多い。
【００３４】
このように，上記板目凸部２２の内側壁面２２１に露出表面１０１が形成された理由としては，板目凸部２２の内側壁面２２１は，図８に示すごとく，上記外側壁面２２２に対して緩やかな緩傾斜状に形成されていることにより，掻取りロール５１に対して接触し易いためであると考えられる。
【００３５】
また，上記板目凸部２２の頂点部２２０に露出表面１０１が形成された理由としては，板目凸部２２の頂点部２２０は，図８に示すごとく，略平坦な平坦面を有しているためであると考えられる。そして，この板目凸部２２の頂点部２２０は，上記掻取りロール５１に対して平坦状に比較的広い接触面積で接触し，この板目凸部２２の頂点部２２０に塗布された第２塗料４０が掻き取られるため，上記露出表面１０１が形成されたと考えられる。
上記露出表面１０１が形成された板目凸部２２の頂点部２２０は，１ｍｍ以上の幅の平坦面を有していた。また，各木目形成凸部２１，２２の全体において，上記平坦面は１〜１５ｍｍの幅の範囲内で形成した。
【００３６】
また，上記板目凸部２２同士の間における凹部２３の底面２３１に露出表面１０１が形成された理由としては，図８に示すごとく，上記建築板１の上記横方向断面において，この板目凸部２２同士の間における凹部２３の幅が比較的大きいことにより，上記掻取りロール５１に接触するためであると考えられる。
上記露出表面１０１が形成された凹部２３の底面２３１は，３ｍｍ以上の幅を有しており，被覆表面１０２が形成された凹部２３の底面２３１は３ｍｍ未満の幅を有していた。また，凹部２３の底面２３１は，５０ｍｍ以下の幅の範囲内で形成した。
【００３７】
一方で，上記柾目凸部２１及び板目凸部２２の外側壁面２１２，２２２において被覆表面１０２が形成された理由としては，図８に示すごとく，これらの外側壁面２１２，２２２に塗布された第２塗料４０には，掻取りロール５１がほとんど接触しないためであると考えられる。
【００３８】
また，ほとんどの柾目凸部２１の内側壁面２１１，外側壁面２１２，頂点部２１０において被覆表面１０２が形成された理由としては，上記被覆表面１０２が形成された柾目凸部２１の頂点部２１０は，上記１ｍｍ以上の幅の平坦面を有しておらず，その頂点部２１０がほぼ尖った尖り形状を有していたためであると考えられる。そして，この柾目凸部２１に塗布された第２塗料４０は，図８に示すごとく，掻取りロール５１が柾目凸部２１から離れる際に，柾目凸部２１へと引っ張られて柾目凸部２１に残存するため，上記被覆表面１０２が形成されたと考えられる。
【００３９】
次いで，上記露出表面１０１及び被覆表面１０２を形成したセメント系原板２を乾燥させた後には，図示は省略するが，上記クリアー層形成工程として，上記乾燥させた露出表面１０１及び被覆表面１０２に，クリアー塗料層を形成するためのクリアー塗料を塗布して乾燥させる。そして，上記セメント系原板２の意匠表面２０１の最表面に，耐候性等を向上させるためのクリアー塗料層を形成する。
こうして，上記露出表面１０１及び被覆表面１０２を有する建築板１を製造することができる。
【００４０】
以下に，上記製造方法により製造した建築板１の作用効果につき説明する。
本例の建築板１は，上記木目形成凸部２１，２２により，木材の外観に近似した凹凸外観を形成し，各木目形成凸部２１，２２の両側の側壁面２１１，２１２，２２１，２２２の傾斜角度に差をつけて，リアリティのある立体的な意匠外観を呈するように形成したものである。
すなわち，本例の建築板１においては，各木目形成凸部２１，２２における内側壁面２１１，２２１を外側壁面２１２，２２２よりも緩やかな緩傾斜状に形成している。
【００４１】
そして，各内側壁面２１１，２２１は，上記木目調の中心側Ａを向く明確な方向性を有して形成されており，上記緩傾斜状の内側壁面２１１，２２１には光が照射され易く，外側壁面２１２，２２２には光が照射され難い状態を形成することができる。そのため，上記木目調の中心側Ａを向く内側壁面２１１，２２１は明るい外観を呈し，この中心側Ａとは反対側の他方側Ｂを向く外側壁面２１２，２２２は暗い外観を呈することができる。
【００４２】
また，本例においては，上記下側塗料層３を形成するための第１塗料３０には淡色の塗料を使用し，上記上側塗料層４を形成するための第２塗料４０には濃色の塗料を使用した。そのため，上記板目凸部２２においては，上記露出表面１０１を形成した内側壁面２２１は一層明るい外観を呈し，上記被覆表面１０２を形成した外側壁面２２２は一層暗い外観を呈することができる。これにより，板目凸部２２における明暗を鮮明に際立たせることができる。
そのため，上記建築板１の意匠表面２０１の各木目形成凸部２１，２２に意図的に陰影効果を発揮させることができ，上記建築板１は，リアリティのある立体的な意匠外観を呈することができる。
【００４３】
また，上記露出表面１０１と被覆表面１０２との形成により，上記建築板１の意匠表面２０１には，上記下側塗料層３による色外観と上記上側塗料層４による色外観とが混在する。そのため，上記建築板１は，複雑な色外観を呈することもできる。
それ故，本例の建築板１は，複雑な色外観を呈すると共にリアリティのある立体的な意匠外観を呈することができる。
【００４４】
なお，本例においては，図１に示したように，上記露出表面１０１は主に上記板目凸部２２に形成した。一方で，図１０に示すごとく，上記露出表面１０１は，上記柾目凸部２１に形成することもできる。
また，図１１に示すごとく，上記木目凹凸模様２０３によって，樹木の長手方向に沿った切断断面の左右いずれかの年輪による外観を表現することもできる。この場合には，上記木目調の中心側Ａは，上記建築板１における一方向側Ａとなり，各木目形成凸部２１，２２は，一方向側Ａに上記内側壁面２１１，２２１を有すると共に，一方向側Ａとは反対側の他方向側Ｂに上記外側壁面２１２，２２２を有することとなる。また，上記木目凹凸模様２０３は，ほとんどが上記柾目凸部２１によって形成されたものとすることもできる。
【図面の簡単な説明】
【図１】実施例における，建築板を示す断面説明図。
【図２】実施例における，建築板の意匠表面を示す平面図。
【図３】実施例における，樹木を挽いたときの切断断面の状態を示す説明図。
【図４】実施例における，セメント系原板を示す断面説明図。
【図５】実施例における，セメント系原板の意匠表面を示す平面図。
【図６】実施例における，上側塗料層を形成したセメント系原板を示す断面説明図。
【図７】実施例における，塗料の掻取り装置を示す説明図。
【図８】実施例における，セメント系原板の意匠表面に掻取りロールを当接させた状態を示す断面説明図。
【図９】実施例における，セメント系原板の意匠表面から第２塗料を掻き取った状態を示す断面説明図。
【図１０】実施例における，柾目凸部にも露出表面を形成した建築板を示す断面説明図。
【図１１】実施例における，木目調の中心側を一方向側に有する建築板を示す断面説明図。
【符号の説明】
１．．．建築板，
１０１．．．露出表面，
１０２．．．被覆表面，
２．．．セメント系原板（原板），
２０１．．．意匠表面，
２０２．．．裏面，
２０３．．．木目凹凸模様，
２０５．．．柾目部，
２０６．．．板目部，
２１．．．柾目凸部（木目形成凸部），
２１０．．．頂点部，
２１１．．．内側壁面，
２１２．．．外側壁面，
２２．．．板目凸部（木目形成凸部），
２２０．．．頂点部，
２２１．．．内側壁面，
２２２．．．外側壁面，
２３．．．凹部，
２３１．．．内面（底面），
２４．．．微細凹部，
３．．．下側塗料層，
３０．．．第１塗料，
４．．．上側塗料層，
４０．．．第２塗料，
Ａ．．．中心側，
Ｂ．．．他方側，
【図１】
2004263481.tif 000003
【図２】
2004263481.tif 000004
【図３】
2004263481.tif 000005
【図４】
2004263481.tif 000006
【図５】
2004263481.tif 000007
【図６】
2004263481.tif 000008
【図７】
2004263481.tif 000009
【図８】
2004263481.tif 000010
【図９】
2004263481.tif 000011
【図１０】
2004263481.tif 000012
【図１１】
2004263481.tif 000013